(57)【要約】【課題】骨組材にフィルムを張設して構成されるビニールハウスにおいて、経時的変形によって撓んだフィルムが風雨などの影響で骨組材に繰り返し接触してフィルムが破損してしまうのを防止すること。【解決手段】本発明では、ビニールハウスの骨組材（２）に間隔をあけて固定され、それぞれにフィルム（３）を止着することでフィルム（３）を張設するためのビニールハウス用フィルム止着具（１）において、フィルム（３）を止着する止着位置とビニールハウスの骨組材（２）との間に、張設されるフィルム（３）の撓みによってフィルム（３）を骨組材（２）に接触させない隙間形成部（８）を設けることにした。【選択図】図１
2020130057.tif 000002
【特許請求の範囲】
【請求項１】
ビニールハウスの骨組材に間隔をあけて固定され、それぞれにフィルムを止着することでフィルムを張設するためのビニールハウス用フィルム止着具において、
フィルムを止着する止着位置とビニールハウスの骨組材との間に、張設されるフィルムの撓みによってフィルムを骨組材に接触させない隙間形成部を設けたことを特徴とするビニールハウス用フィルム止着具。
【請求項２】
前記フィルムを止着する止着材と、前記止着材を前記骨組材に固定する固定材とで構成し、前記固定材によって前記隙間形成部を形成することを特徴とする請求項１に記載のビニールハウス用フィルム止着具。
【請求項３】
前記固定材は、前記骨組材に係止する係止材と、前記止着材を載置する台材とを有し、前記係止材と台材とで共働して前記骨組材に固定されるように構成したことを特徴とする請求項２に記載のビニールハウス用フィルム止着具。
【発明の詳細な説明】
【技術分野】
【０００１】
本発明は、ビニールハウスの骨組材にフィルムを張設するために使用されるビニールハウス用フィルム止着具に関するものである。
【背景技術】
【０００２】
ビニールハウスは、金属製パイプ等からなる骨組材にフィルム（たとえば、フッ素樹脂からなる農業用硬質フィルム）を張設した構成となっている。ビニールハウスでは、骨組材にフィルムを張設するために、ビニールハウス用フィルム止着具が使用されている。
【０００３】
このビニールハウス用フィルム止着具は、ビニールハウスの骨組材に間隔をあけて固定され、それぞれにフィルムを止着することでフィルムを張設するようになっている（たとえば、特許文献１参照。）。
【先行技術文献】
【特許文献】
【０００４】
【特許文献１】特開２０１０−２３９８８３号公報
【発明の概要】
【発明が解決しようとする課題】
【０００５】
ところが、ビニールハウスのフィルムは、直射日光や風雨を直接受けたり、内部の温度変化などの影響で、経時的な変形によって撓みが生じる。
【０００６】
そして、ビニールハウスのフィルムに撓みが生じると、撓んだフィルムが風や温度変化や気圧変化などによって骨組材等と繰り返して接触する（擦れる）ことになり、フィルムが破損してしまい、ビニールハウスの内部での農作物の栽培に支障を来すおそれがある。
【課題を解決するための手段】
【０００７】
そこで、請求項１に係る本発明では、ビニールハウスの骨組材に間隔をあけて固定され、それぞれにフィルムを止着することでフィルムを張設するためのビニールハウス用フィルム止着具において、フィルムを止着する止着位置とビニールハウスの骨組材との間に、張設されるフィルムの撓みによってフィルムを骨組材に接触させない隙間形成部を設けることにした。
【０００８】
また、請求項２に係る本発明では、前記請求項１に係る本発明において、前記フィルムを止着する止着材と、前記止着材を前記骨組材に固定する固定材とで構成し、前記固定材によって前記隙間形成部を形成することにした。
【０００９】
また、請求項３に係る本発明では、前記請求項２に係る本発明において、前記固定材は、前記骨組材に係止する係止材と、前記止着材を載置する台材とを有し、前記係止材と台材とで共働して前記骨組材に固定されるように構成することにした。
【発明の効果】
【００１０】
そして、本発明では、以下に記載する効果を奏する。
【００１１】
すなわち、本発明では、ビニールハウスの骨組材に間隔をあけて固定され、それぞれにフィルムを止着することでフィルムを張設するためのビニールハウス用フィルム止着具において、フィルムを止着する止着位置とビニールハウスの骨組材との間に、張設されるフィルムの撓みによってフィルムを骨組材に接触させない隙間形成部を設けることにしているために、フィルムが経時的な変形によって撓んでしまっても、フィルムと骨組材との接触を回避することができ、フィルムの破損を防止することができる。
【００１２】
特に、フィルムを止着する止着材と、止着材を骨組材に固定する固定材とで構成し、固定材によって隙間形成部を形成することにした場合には、既存の止着材を有効に利用することができる。
【００１３】
また、骨組材に係止する係止材と、止着材を載置する台材とを有し、係止材と台材とで共働して骨組材に固定されるように固定材を構成することにした場合には、骨組材への取付作業を容易なものとすることができる。
【図面の簡単な説明】
【００１４】
【図１】実施例１に係るビニールハウス用フィルム止着具を示す正面断面図。
【図２】同斜視図。
【図３】実施例２に係るビニールハウス用フィルム止着具を示す左側面図（ａ）、正面図（ｂ）、右側面図（ｃ）。
【図４】実施例３に係るビニールハウス用フィルム止着具を示す正面図（ａ）、側面図（ｂ）、背面図（ｃ）。
【発明を実施するための形態】
【００１５】
以下に、本発明に係るビニールハウス用フィルム止着具の具体的な構成について図面を参照しながら説明する。なお、ビニールハウス用フィルム止着具（以下の実施例では、「止着具」という。）は、ビニールハウスの骨組材に間隔をあけて固定され、それぞれにフィルムを止着することでフィルムを張設するために使用されるものである。フィルムとしては、たとえば、フッ素樹脂からなる農業用硬質フィルムを使用することができる。以下の実施例では、骨組材２に取付けた止着具それぞれに、図１、図３及び図４に示すように、フィルム３をネジ４やカバー５を用いて止着（固定）しているが、止着方法は特に限定されるものではない。
【００１６】
［実施例１］
図１及び図２に示すように、実施例１に係る止着具１は、下端部に骨組材２に固定される固定部６が形成され、上端部にフィルム３を止着する止着部７が形成されており、これらの固定部６と止着部７との間に隙間形成部８が形成されている。
【００１７】
固定部６には、骨組材２の伸延方向に伸びる左右一対の台座9,9が形成されており、台座9,9を骨組材２の外周面にネジ10で固定している。なお、台座9,9の下面が骨組材２に固定される位置（固定位置）に該当する。
【００１８】
止着部７には、上面にフィルム３を水平に載置する左右一対の鍔体11,11が形成され、上面中央にネジ４等の締結具を締結（螺着）する溝12が形成されている。なお、止着部７は、フィルム３を止着するために必要となる部分であり、鍔体11,11の表面から溝12の下端（底）までの範囲が該当し、鍔体11の上面がフィルム３を止着する位置（止着位置）に該当する。
【００１９】
この止着部７にフィルム３を張設した状態で止着するが、図１に示すように、フィルム３の自重や経時的な変形によってフィルム３の中央部分が大きく撓むことになる。
【００２０】
後述する実施例２の図３や実施例３の図４に示すように、従来の止着材13は、止着部の下端に固定部が形成されており、止着位置と固定位置とが近接していた。そのため、フィルムの撓んだ部分が骨組材と接触していた。
【００２１】
そこで、本発明では、フィルムを止着する止着位置とビニールハウスの骨組材（固定位置）との間に、張設されるフィルムの撓みによってフィルムを骨組材に接触させない隙間形成部を設けることにしている。
【００２２】
止着具１では、固定部６の中央上部と止着部７の中央下部（溝12の底よりも下部）との間に隙間形成部８を上方へ向けて垂直状に伸延する形状で形成している。
【００２３】
［実施例２］
図３に示すように、実施例２に係る止着具14は、フィルム３を止着するための止着材13と、その止着材13を骨組材２に固定するための固定材15とで構成している。
【００２４】
固定材15は、骨組材２を係止するための左右一対の係止材16,16と、止着材13を上部に載置するための台材17とで構成している。
【００２５】
係止材16は、下部に骨組材２と同一の上下幅を有する横Ｊ字形状のフック18を下方に向けて外側に傾斜状に形成し、フック18の下端上面と上端下面との間で骨組材２を形成できる構造となっている。
【００２６】
また、係止材16は、上部を内側（止着材13側）に向けて屈曲するとともに、屈曲部分の中央に窓19を形成している。
【００２７】
さらに、係止材16は、上端部を上方へ向けて屈曲して挟持片20を形成している。
【００２８】
台材17は、上面に止着材13を載置する水平な載置台21を形成している。
【００２９】
また、台材17は、左右端部（載置台21の左右端）を下方へ向けて外側に傾斜状に屈曲し、屈曲部分の中央に上方へ向けて突出させた突起22を形成している。
【００３０】
さらに、台材17は、屈曲部分の下方に骨組材２の上半部と同一形状の二股状のフック23を形成している。
【００３１】
そして、固定材15は、係止材16と台材17とで共働して骨組材２に固定される構造となっている。
【００３２】
すなわち、骨組材２に止着具14を取付ける際には、まず、骨組材２の上部に台材17のフック23,23を置き、台材17の載置台21の上部に止着材13を載置する。次に、一対の係止材16のフック18で骨組材２を保持させながら、係止材16の挟持片20を止着材13に当接させて左右両側から挟持するとともに係止材16と台材17とで止着材13を上下両側から挟持した状態で係止材16のフック18を台材17のフック23と当接させ、台材17の突起22を係止材16の窓19から上方へ突出させて窓19の縁に突起22を当接させる。これにより、固定材15を骨組材２に固定することができる。
【００３３】
この止着具14では、固定材15の台材17の載置台21に止着材13が載置されており、止着材13の上面がフィルム３を止着する位置（止着位置）に該当する。また、止着具14では、固定材15の係止材16のフック18と台材17のフック23とで骨組材２に固定されており、両フック18,23の内側上端が止着具14を骨組材２に固定する位置（固定位置）に該当する。
【００３４】
そして、止着具14では、固定材15の台材17のフック23と載置台21との間に隙間形成部24を上方へ向けて内側に傾斜状に伸延する形状で形成している。
【００３５】
［実施例３］
図４に示すように、実施例３に係る止着具25は、フィルム３を止着するための止着材13と、その止着材13を骨組材２に固定するための固定材26とで構成している。
【００３６】
固定材26は、骨組材２を係止するための係止材27と、止着材13を上部に載置するための台材28とで構成している。
【００３７】
係止材27は、本体29と楔体30とで構成している。
【００３８】
本体29は、中央に間隔をあけて左右一対の水平な連結片31,31を形成するとともに、連結片31,31の前端及び後端を骨組材２と同一幅で下方へ向けて垂直状に屈曲させて骨組材２の外周と内側が当接する保持片32,32を形成している。
【００３９】
本体29には、保持片32,32の上部に台材28を挿通させる挿通孔33,33が前後貫通状に形成されており、保持片32,32の下部に楔体30を挿通させる挿通孔34,34が前後貫通状に形成されている。
【００４０】
楔体30は、中央に水平な連結片35を形成するとともに、連結片35の左右両端を同一幅で上方へ向けて垂直状に屈曲させて楔片36,36を形成し、各楔片36の上面を後方から前方へ向けて下方に傾斜する傾斜面としている。
【００４１】
また、楔体30は、連結片35の後端を下方へ向けて垂直状に屈曲させて左右の楔片36,36と当接する打撃片37を形成している。
【００４２】
台材28は、楔体30と同様の形状となっており、中央に水平な載置台38を形成するとともに、載置台38の左右両端を同一幅で上方へ向けて垂直状に屈曲させて楔片39,39を形成し、各楔片39の下面を後方から前方へ向けて上方に傾斜する傾斜面としている。
【００４３】
また、台材28は、載置台38の後端を下方へ向けて垂直状に屈曲させて左右の楔片39,39と当接する打撃片40を形成している。
【００４４】
そして、固定材26は、係止材27と台材28とで共働して骨組材２に固定される構造となっている。
【００４５】
すなわち、骨組材２に止着具25を取付ける際には、まず、係止材27の本体29の連結片31の下面と台材28の載置台38の上面とで止着材13の下端部分を挟持した状態で本体29の挿通孔33,33に挿通させた台材28を骨組材２の上部に置いて、本体29の保持片32,32で骨組材２を保持する。次に、係止材27の本体29の挿通孔34,34に楔体30を挿通し、楔体30の打撃片37や台材28の打撃片40をハンマー等で打撃して、楔体30と台材28とで骨組材２を挟持する。これにより、固定材26を骨組材２に固定することができる。
【００４６】
この止着具25では、固定材26の台材28の載置台38に止着材13が載置されており、止着材13の上面がフィルム３を止着する位置（止着位置）に該当する。また、止着具25では、固定材26の係止材27の保持片32,32と楔体30と台材28とで骨組材２に固定されており、台材28の楔片39,39の下面が止着具25を骨組材２に固定する位置（固定位置）に該当する。
【００４７】
そして、止着具25では、固定材26の台材28の楔片39の下面と載置台38との間に隙間形成部41を上方へ向けて垂直状に伸延する形状で形成している。
【００４８】
以上に説明したように、実施例１〜実施例３に係るビニールハウス用フィルム止着具1,14,25は、フィルム３を止着する止着位置とビニールハウスの骨組材２との間に、張設されるフィルム３の撓みによってフィルム３を骨組材２に接触させない隙間形成部8,24,41を設けた構成となっている。
【００４９】
そのため、上記構成の止着具1,14,25では、フィルム３が経時的な変形によって撓んでしまっても、フィルム３と骨組材２との接触を回避することができ、フィルム３の破損を防止することができる。
【００５０】
また、実施例２，３に係るビニールハウス用フィルム止着具14,25は、フィルム３を止着する止着材13と、止着材13を骨組材２に固定する固定材15,26とで構成し、固定材15,26によって隙間形成部24,41を形成する構成となっている。
【００５１】
そのため、上記構成の止着具14,25では、既存の止着材13（隙間形成部が形成されていない止着材）を有効に利用することができる。
【００５２】
また、実施例２，３に係るビニールハウス用フィルム止着具14,25は、骨組材２に係止する係止材16,27と、止着材13を載置する台材17,28とを有し、係止材16,27と台材17,28とで共働して骨組材２に固定されるように固定材15,26を構成している。
【００５３】
そのため、上記構成の止着具14,25では、骨組材２への取付作業を容易なものとすることができる。
【符号の説明】
【００５４】
１  止着具                            ２  骨組材
３  フィルム                          ４  ネジ
５  カバー                            ６  固定部
７  止着部                            ８  隙間形成部
９  台座                              10  ネジ
11  鍔体                              12  溝
13  止着材                            14  止着具
15  固定材                            16  係止材
17  台材                              18  フック
19  窓                                20  挟持片
21  載置台                            22  突起
23  フック                            24  隙間形成部
25  止着具                            26  固定材
27  係止材                            28  台材
29  本体                              30  楔体
31  連結片                            32  保持片
33,34  挿通孔                         35  連結片
36  楔片                              37  打撃片
38  載置台                            39  楔片
40  打撃片                            41  隙間形成部
【図１】
2020130057.tif 000003
【図２】
2020130057.tif 000004
【図３】
2020130057.tif 000005
【図４】
2020130057.tif 000006
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
ビニールハウスの骨組材に間隔をあけて固定され、それぞれにフィルムを止着することでフィルムを張設するためのビニールハウス用フィルム止着具において、
フィルムを止着する止着材と、止着材を骨組材に固定する固定材とで構成し、
固定材は、それぞれが骨組材に係止するフックを有する一対の係止材と、止着材を載置する台材とを有し、
固定材によって、フィルムを止着する止着位置とビニールハウスの骨組材との間に、張設されるフィルムの撓みによってフィルムを骨組材に接触させない隙間形成部を設けたことを特徴とするビニールハウス用フィルム止着具。
【請求項２】
請求項１に記載のビニールハウス用フィルム止着具の取付方法において、
骨組材の上部に台材を置き、台材の上部に止着材を載置し、その後、一対の係止材のフックで骨組材を保持させながら、一対の係止材を止着材の左右両側から台材に当接させて、一対の係止材と台材とで止着材を挟持することで、一対の係止材と台材とで共働して骨組材に固定することを特徴とするビニールハウス用フィルム止着具の取付方法。
【手続補正３】
【補正対象書類名】明細書
【補正対象項目名】０００７
【補正方法】変更
【補正の内容】
【０００７】
そこで、請求項１に係る本発明では、ビニールハウスの骨組材に間隔をあけて固定され、それぞれにフィルムを止着することでフィルムを張設するためのビニールハウス用フィルム止着具において、フィルムを止着する止着材と、止着材を骨組材に固定する固定材とで構成し、固定材は、それぞれが骨組材に係止するフックを有する一対の係止材と、止着材を載置する台材とを有し、固定材によって、フィルムを止着する止着位置とビニールハウスの骨組材との間に、張設されるフィルムの撓みによってフィルムを骨組材に接触させない隙間形成部を設けることにした。
【手続補正４】
【補正対象書類名】明細書
【補正対象項目名】０００８
【補正方法】変更
【補正の内容】
【０００８】
また、請求項２に係る本発明では、前記請求項１に係るビニールハウス用フィルム止着具の取付方法において、骨組材の上部に台材を置き、台材の上部に止着材を載置し、その後、一対の係止材のフックで骨組材を保持させながら、一対の係止材を止着材の左右両側から台材に当接させて、一対の係止材と台材とで止着材を挟持することで、一対の係止材と台材とで共働して骨組材に固定することにした。
【手続補正５】
【補正対象書類名】明細書
【補正対象項目名】０００９
【補正方法】削除
【補正の内容】